(57)【要約】【課題】従来、洗濯機、乾燥機あるいは洗濯乾燥機から取り出した衣類には、しわができる。しわを除去するにはアイロン掛けするか、脱水後に（乾燥前に）取り出し、手で叩いたり伸ばしながら干すしかなかった。そこで、あらかじめ衣類に装着し、洗濯機等にかけるだけで、しわが防止できる、衣類しわ防止具を提供する。【解決手段】本発明に係る衣類しわ防止具１は、洗濯機等による不規則な激しい動作や高温に耐えうる発泡樹脂製シートを使用し、衣類５の筒状部分あるいは胴体部分に合った形状を有して当該部分に挿入されるものであり、挿入箇所で衣類５を折り畳めるようシートにヒンジ溝３を設けた。【選択図】図３
2019072241.tif 000002
【特許請求の範囲】
【請求項１】
洗濯機、乾燥機あるいは洗濯乾燥機による不規則な激しい動作や高温に耐えうる発泡樹脂製シートを使用し、衣類の筒状部分あるいは胴体部分に合った形状を有して当該部分に挿入されるものであり、挿入箇所で衣類を折り畳めるようシートにヒンジ溝を設けた衣類しわ防止具。
【請求項２】
洗濯機、乾燥機あるいは洗濯乾燥機による不規則な激しい動作や高温に耐えうる発泡樹脂製シートを使用し、ズボンの股部から裾にかけての左右の足を通す部分のそれぞれに合った形状を有して当該部分に挿入されるものであり、膝部でズボンを折り畳めるよう、シートにヒンジ溝を設けて折り畳み可能とした衣類しわ防止具。
【請求項３】
前記ヒンジ溝は、平行な複数の溝からなる請求項１又は２に記載の衣類しわ防止具。
【請求項４】
前記シートに通気孔を設けた請求項１ないし３のいずれか１項に記載の衣類しわ防止具。
【発明の詳細な説明】
【技術分野】
【０００１】
本発明は、洗濯機、乾燥機あるいは洗濯乾燥機（以下、「洗濯機等」という。）を用いて衣類を洗濯、乾燥する際に衣類にしわが生じるのを防止するための衣類しわ防止具に関する。
【背景技術】
【０００２】
洗濯機等を用いて衣類を洗濯、乾燥する際に、衣類のうち、特に細長い筒状部分（例えば、シャツの腕を通す部分やズボンの足を通す部分）や胴体部分（例えば、シャツの首から腰部にかけての部分）がねじれたりして、しわができやすい。従来は、できたしわは、アイロン等で除去するか、脱水後に洗濯機等から衣類を取り出して、しわを手で伸ばしながら干すしかなかった。
【発明の概要】
【発明が解決しようとする課題】
【０００３】
そこで、本発明は、洗濯機等を用いて衣類を洗濯、乾燥する際に衣類にしわが生じるのを防止するための衣類しわ防止具を提供することを課題とする。
【課題を解決するための手段】
【０００４】
本発明に係る衣類しわ防止具は、洗濯機等による不規則な激しい動作や高温に耐えうる発泡樹脂製シートを使用し、衣類の筒状部分あるいは胴体部分に合った形状を有して当該部分に挿入されるものであり、挿入箇所で衣類を折り畳めるようシートにヒンジ溝を設けたものである。
【０００５】
また、衣類をズボンとした場合の本発明に係る衣類しわ防止具は、洗濯機等による不規則な激しい動作や高温に耐えうる発泡樹脂製シートを使用し、ズボンの股部から裾にかけての左右の足を通す部分のそれぞれに合った形状を有して当該部分に挿入されるものであり、膝部でズボンを折り畳めるよう、シートにヒンジ溝を設けて折り畳み可能としたものである。
【０００６】
かかる構成によれば、洗濯、乾燥に先立ち、衣類しわ防止具を衣類の筒状部分あるいは胴体部分に挿入する。これにより、衣類は、しわのないフラットな状態に内側から保形される。ただし、衣類しわ防止具の挿入箇所がフラットに伸びたままでは、洗濯機等によっては、投入口よりも大きいために投入することができない場合がある。また、そこまでいかないにしても、衣類しわ防止具の挿入箇所がフラットに伸びたままでは、洗濯機等に投入しにくい。そこで、本発明では、シートにヒンジ溝を設けることで、衣類しわ防止具の挿入箇所で衣類を折り畳むことができ、衣類をコンパクトにして洗濯機等に投入しやすくすることができる。このように、本発明では、衣類しわ防止具を衣類の筒状部分あるいは胴体部分に挿入することで、洗濯、乾燥の間、衣類は衣類しわ防止具によって内側から保形された状態にあるため、衣類にしわができるのを好適に防止することができる。
【０００７】
ここで、本発明のシートは、洗濯機等による不規則な激しい動作や高温に耐えうるため、それなりの厚みを有している。そのため、溝が一つの場合、溝が浅いと、シートを折り畳むことは困難となるおそれがある。逆に、溝を深く形成すると、シートを折り畳みやすくはなるが、溝にてシートが破断してしまうおそれがある。このような場合は、ヒンジ溝として、平行な複数の溝からなるものを採用すれば、シートがなだらかに湾曲するため、上述した、溝が浅いと、シートを折り畳むことができず、溝が深いと、シートが破断してしまうといった問題を解決することができる。しかも、シートの折り畳み部がなだらかに湾曲するため、溝が一つであることにより、シートが１８０度反転して折れ曲がる場合よりも、シートの折り畳み部に位置するズボンの膝部にしわが入りにくいという効果も期待できる。
【０００８】
また、本発明に係る衣類しわ防止具は、シートに複数の通気孔を設けるのが好ましい。
【発明の効果】
【０００９】
本発明に係る衣類しわ防止具によれば、衣類のしわを効果的に防止することができる。
【図面の簡単な説明】
【００１０】
【図１】衣類しわ防止具の平面図である。
【図２】（a）衣類しわ防止具の側面図である。（b）溝を設けることでヒンジ効果を示す側面図である。
【図３】衣類しわ防止具を衣類（ズボン）に装着する方法を示した平面図である。
【図４】衣類しわ防止具を衣類（ズボン）に装着した状態の平面図である。
【図５】〔図４〕のズボンの裾部を拡大し、固定具を装着した状態の平面図である。
【図６】固定具の平面図である。
【図７】固定具の側面図である。
【図８】衣類しわ防止具と固定具をホック鋲で装着する方法を示した側面図である。
【図９】衣類しわ防止具と固定具をホック鋲で装着した状態の側面図である。
【図１０】（a）取り外し可能な凸型ホック鋲の斜視図である。（b）取り外し可能な凹型ホック鋲の斜視図である。
【図１１】固定具で衣類しわ防止具と衣類を固定する方法を示した側面図である。
【図１２】他の実施形態に係る衣類しわ防止具の平面図である。
【発明を実施するための形態】
【００１１】
以下、本発明に係る衣類しわ防止具の一実施形態として、ズボンに用いられる衣類しわ防止具について、図面を参酌しつつ説明する。
【００１２】
図１、図３及び図４に示す如く、本実施形態に係る衣類しわ防止具１は、洗濯機等による不規則で激しい動作や高温に耐えうる発泡樹脂製シートであって、衣類５の挿入箇所よりも大きな状態（例えば長方形状）から衣類５の挿入箇所に合わせてハサミやカッターナイフで切断できるものを用いる。
【００１３】
また、シートの全域ないしほぼ全域にわたって適宜間隔で複数の通気孔２を設けることにより乾燥を促進する。この通気孔２は、後述するとおり、衣類５を固定する固定具４を装着する穴としても使える。
【００１４】
また、図２に示す如く、ヒンジ溝３、より詳しくは、それぞれが例えばＶ字状の複数の溝（本実施形態では３本）を互いに近接して平行に配置したヒンジ溝３を設けることによりヒンジ効果を得て、衣類５に装着後に折り畳んでコンパクトにすることにより洗濯機等に入れやすく、かつ、洗濯機等内でよく動くことで汚れ落ちもよく、乾燥も促進する。衣類しわ防止具１を使わない時はヒンジ溝３で折り畳み、収納に便利である。
【００１５】
また、図５ないし図１１に示す如く、衣類しわ防止具１と衣類５を固定するために固定具４が用いられることがある。具体的には、衣類５の端部を挟持する挟持片を有する固定具４には、孔６が明いており、この孔６と衣類しわ防止具１の端部にある一つの通気孔２とを一致させた状態で、これらの孔２，６に、取り外し可能な樹脂製のホック鋲７，８の凹凸嵌合部を通してホック鋲７，８を結合させて、固定具４を衣類しわ防止具１の所定箇所に固定させた後、固定具４に衣類５の端部を挿入して挟持させ、衣類しわ防止具１と衣類５とを固定する。
【００１６】
あるいは、図１２に示す如く、通気孔２をシートの外側縁（及び／又は内側縁）に掛かるように形成することで、シートの外側縁（及び／又は内側縁）に複数の凹部を形成し、この凹部を衣類５の内側と係合させることで、衣類しわ防止具１が衣類５から簡単に抜けないようにすることもできる。
【００１７】
また、脱水後（乾燥前）に取り出し、そのまま干すことでも、しわ防止効果が得られ、手で叩いたり、伸ばしたりする手間が省ける。
【００１８】
なお、本発明に係る衣類しわ防止具は、上記実施形態に限定されるものではなく、本発明の要旨を逸脱しない範囲で種々の変更が可能である。
【００１９】
例えば、上記実施形態においては、シートの形状は、ズボンの股部から裾にかけての左右の足を通す部分のそれぞれに合った形状にされている。しかし、シートの形状は、股上まで伸びるものであってもよい。さらには、この場合、ズボンの股部に対応したシートの位置にも、ヒンジ溝３を設けて、衣類しわ防止具を二箇所で折り畳めるようにしてもよい。
【符号の説明】
【００２０】
１  衣類しわ防止具
２  通気孔
３  ヒンジ溝
４  固定具
５  衣類（ズボン）
６  孔
７  凸型ホック鋲
８  凹型ホック鋲
【図１】
2019072241.tif 000003
【図２】
2019072241.tif 000004
【図３】
2019072241.tif 000005
【図４】
2019072241.tif 000006
【図５】
2019072241.tif 000007
【図６】
2019072241.tif 000008
【図７】
2019072241.tif 000009
【図８】
2019072241.tif 000010
【図９】
2019072241.tif 000011
【図１０】
2019072241.tif 000012
【図１１】
2019072241.tif 000013
【図１２】
2019072241.tif 000014